【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
無線周波数（ＲＦ）伝送機であって、
第１のＲＦ電力増幅器と、
第２のＲＦ電力増幅器と、
前記第１および第２のＲＦ電力増幅器の出力信号を組み合わせる結合器と、
第１の振幅および第１の位相を示す第１の情報に基づいて、前記第１のＲＦ電力増幅器のためのＲＦ入力信号を生成する第１のデジタル／ＲＦ変調器と、
第２の振幅および第２の位相を示す第２の情報に基づいて、前記第２のＲＦ電力増幅器のためのＲＦ入力信号を生成する第２のデジタル／ＲＦ変調器と、
第１の制御信号に応答して、可変供給電圧を前記第１のＲＦ電力増幅器に提供する第１の電圧制御ユニットと、
第２の制御信号に応答して、可変供給電圧を前記第２のＲＦ電力増幅器に提供する第２の電圧制御ユニットと、
少なくとも部分的に、前記ＲＦ伝送機から伝送されるべき伝送データに基づいて、前記第１の情報、前記第２の情報、前記第１の制御信号、および前記第２の制御信号を提供するコントローラであって、前記コントローラは、前記第１の情報に関連付けられている前記第１の振幅と、前記第２の情報に関連付けられている前記第２の振幅とのうちの少なくとも１つを制御することにより、前記ＲＦ伝送機の出力電力レベルを設定する、コントローラと
を備えている、ＲＦ伝送機。
【請求項２】
前記コントローラは、前記第１の情報に関連付けられている前記第１の位相と、前記第２の情報に関連付けられている前記第２の位相とをさらに制御することにより、前記ＲＦ伝送機の出力電力を設定する、請求項１に記載のＲＦ伝送機。
【請求項３】
少なくとも１つの追加のＲＦ電力増幅器をさらに備え、前記結合器は、前記第１、第２、および少なくとも１つの追加のＲＦ電力増幅器の出力信号を組み合わせる、請求項１に記載のＲＦ伝送機。
【請求項４】
前記少なくとも１つの追加のＲＦ電力増幅器は、第３のＲＦ電力増幅器を含み、
前記ＲＦ伝送機は、
第３の振幅および第３の位相を示す第３の情報に基づいて、前記第３のＲＦ電力増幅器のためのＲＦ入力信号を生成する第３のデジタル／ＲＦ変調器と、
第３の制御信号に応答して、可変供給電圧を前記第３のＲＦ電力増幅器に提供する第３の電圧制御ユニットと
をさらに備え、
前記コントローラは、少なくとも部分的に、前記伝送データに基づいて、前記第３の情報および前記第３の制御信号を提供するように構成されている、請求項３に記載のＲＦ伝送機。
【請求項５】
前記第１の電圧制御ユニットは、前記第１の制御信号に応答して、前記第１のＲＦ電力増幅器のために複数の利用可能な電圧のうちの１つを選択するように構成されている、請求項１に記載のＲＦ伝送機。
【請求項６】
前記コントローラは、前記第１および第２のＲＦ電力増幅器のために、前記ＲＦ伝送機の所望の瞬間出力電力レベルを達成することが可能である最も低い電圧供給レベルの組を選択するように構成されている、請求項５に記載のＲＦ伝送機。
【請求項７】
前記コントローラは、前記第１の電力増幅器の出力と前記第２の電力増幅器の出力との間で実質的に固定された位相関係を提供する、請求項５に記載のＲＦ伝送機。
【請求項８】
前記第２の電圧制御ユニットは、前記第２の制御信号に応答して、前記第２のＲＦ電力増幅器のために複数の利用可能な電圧のうちの１つを選択するように構成されている、請求項５に記載のＲＦ伝送機。
【請求項９】
前記第１の電圧制御ユニットおよび前記第２の電圧制御ユニットは、単一の電圧制御構造の一部である、請求項８に記載のＲＦ伝送機。
【請求項１０】
前記電圧制御構造は、前記複数の利用可能な電圧の電圧値を経時的に適合させることが可能である、請求項８に記載のＲＦ伝送機。
【請求項１１】
前記第１の電圧制御ユニットは、前記第１の電圧制御ユニットの出力信号内における電圧レベルの間での移行を成形する第１の移行成形フィルタを含む、請求項５に記載のＲＦ伝送機。
【請求項１２】
前記電力結合器は、分離ポートを有する分離結合器であり、
前記ＲＦ伝送機は、前記分離結合器の分離ポートに結合されているエネルギー回収回路をさらに備え、前記エネルギー回収回路は、前記分離ポートから出力されたエネルギーを回収し、前記回収されたエネルギーを使用可能な形式に変換する、請求項５に記載のＲＦ伝送機。
【請求項１３】
前記第１および第２のＲＦ電力増幅器は、異なる増幅器アーキテクチャを有する、請求項５に記載のＲＦ伝送機。
【請求項１４】
前記第１および第２の電力増幅器のうちの少なくとも１つは、ドハティ増幅器である、請求項５に記載のＲＦ伝送機。
【請求項１５】
前記第１および第２のＲＦ電力増幅器は、異なる増幅器設計を有する、請求項５に記載のＲＦ伝送機。
【手続補正２】
【補正対象書類名】明細書
【補正対象項目名】００３５
【補正方法】変更
【補正の内容】
【００３５】
一実施形態では、少なくとも２つの電力増幅器の各々のための供給電圧を選択することは、少なくとも部分的に、伝送機によって伝送されるべきデータを表すサンプルのウィンドウに基づいて、供給電圧を選択することを含む。
本発明は、例えば、以下を提供する。
（項目１）
無線周波数（ＲＦ）伝送機であって、
第１のＲＦ電力増幅器と、
第２のＲＦ電力増幅器と、
前記第１および第２のＲＦ電力増幅器の出力信号を組み合わせる結合器と、
第１の振幅および第１の位相を示す第１の情報に基づいて、前記第１のＲＦ電力増幅器のためのＲＦ入力信号を生成する第１のデジタル／ＲＦ変調器と、
第２の振幅および第２の位相を示す第２の情報に基づいて、前記第２のＲＦ電力増幅器のためのＲＦ入力信号を生成する第２のデジタル／ＲＦ変調器と、
第１の制御信号に応答して、可変供給電圧を前記第１のＲＦ電力増幅器に提供する第１の電圧制御ユニットと、
第２の制御信号に応答して、可変供給電圧を前記第２のＲＦ電力増幅器に提供する第２の電圧制御ユニットと、
少なくとも部分的に、前記ＲＦ伝送機から伝送されるべき伝送データに基づいて、前記第１の情報、前記第２の情報、前記第１の制御信号、および前記第２の制御信号を提供するコントローラであって、前記コントローラは、前記第１の情報に関連付けられている前記第１の振幅と、前記第２の情報に関連付けられている前記第２の振幅とのうちの少なくとも１つを制御することにより、前記ＲＦ伝送機の出力電力レベルを設定する、コントローラと
を備えている、ＲＦ伝送機。
（項目２）
前記コントローラは、前記第１の情報に関連付けられている前記第１の位相と、前記第２の情報に関連付けられている前記第２の位相とをさらに制御することにより、前記ＲＦ伝送機の出力電力を設定する、項目１に記載のＲＦ伝送機。
（項目３）
少なくとも１つの追加のＲＦ電力増幅器をさらに備え、前記結合器は、前記第１、第２、および少なくとも１つの追加のＲＦ電力増幅器の出力信号を組み合わせる、項目１に記載のＲＦ伝送機。
（項目４）
前記少なくとも１つの追加のＲＦ電力増幅器は、第３のＲＦ電力増幅器を含み、
前記ＲＦ伝送機は、
第３の振幅および第３の位相を示す第３の情報に基づいて、前記第３のＲＦ電力増幅器のためのＲＦ入力信号を生成する第３のデジタル／ＲＦ変調器と、
第３の制御信号に応答して、可変供給電圧を前記第３のＲＦ電力増幅器に提供する第３の電圧制御ユニットと
をさらに備え、
前記コントローラは、少なくとも部分的に、前記伝送データに基づいて、前記第３の情報および前記第３の制御信号を提供するように構成されている、項目３に記載のＲＦ伝送機。
（項目５）
前記第１の電圧制御ユニットは、前記第１の制御信号に応答して、前記第１のＲＦ電力増幅器のために複数の利用可能な電圧のうちの１つを選択するように構成されている、項目１に記載のＲＦ伝送機。
（項目６）
前記コントローラは、前記第１および第２のＲＦ電力増幅器のために、前記ＲＦ伝送機の所望の瞬間出力電力レベルを達成することが可能である最も低い電圧供給レベルの組を選択するように構成されている、項目５に記載のＲＦ伝送機。
（項目７）
前記コントローラは、前記第１の電力増幅器の出力と前記第２の電力増幅器の出力との間で実質的に固定された位相関係を提供する、項目５に記載のＲＦ伝送機。
（項目８）
前記第２の電圧制御ユニットは、前記第２の制御信号に応答して、前記第２のＲＦ電力増幅器のために複数の利用可能な電圧のうちの１つを選択するように構成されている、項目５に記載のＲＦ伝送機。
（項目９）
前記第１の電圧制御ユニットおよび第２の電圧制御ユニットは、単一の電圧制御構造の一部である、項目８に記載のＲＦ伝送機。
（項目１０）
前記電圧制御構造は、前記複数の利用可能な電圧の電圧値を経時的に適合させることが可能である、項目８に記載のＲＦ伝送機。
（項目１１）
前記第１の電圧制御ユニットは、前記第１の電圧制御ユニットの出力信号内における電圧レベルの間での移行を成形する第１の移行成形フィルタを含む、項目５に記載のＲＦ伝送機。
（項目１２）
前記電力結合器は、分離ポートを有する分離結合器であり、
前記ＲＦ伝送機は、前記分離結合器の分離ポートに結合されているエネルギー回収回路をさらに備え、前記エネルギー回収回路は、前記分離ポートからエネルギー出力を回収し、回収エネルギーを使用可能な形式に変換する、項目５に記載のＲＦ伝送機。
（項目１３）
前記第１および第２のＲＦ電力増幅器は、異なる増幅器アーキテクチャを有する、項目５に記載のＲＦ伝送機。
（項目１４）
前記第１および第２の電力増幅器のうちの少なくとも１つは、ドハティ増幅器である、項目５に記載のＲＦ伝送機。
（項目１５）
前記第１および第２のＲＦ電力増幅器は、異なる増幅器設計を有する、項目５に記載のＲＦ伝送機。
（項目１６）
前記コントローラは、サンプル毎ベースで、前記第１の情報、前記第２の情報、前記第１の制御信号、および前記第２の制御信号を更新するように構成されている、項目５に記載のＲＦ伝送機。
（項目１７）
前記コントローラは、少なくとも部分的に、前記伝送機によって伝送されるべきデータを表すサンプルのウィンドウに基づいて、前記第１および第２の電力増幅器のための電圧レベル変更に関する決定を行うように構成されている、項目５に記載のＲＦ伝送機。
（項目１８）
前記コントローラは、電圧レベル変更の決定を行うために使用される前記サンプルのウィンドウの長さを経時的に適合させるように構成されている、項目１７に記載のＲＦ伝送機。
（項目１９）
前記第１および第２の電力増幅器のための電圧レベルを決定するために、前記コントローラは、
前記伝送機によって伝送されるべきサンプルのウィンドウを識別することと、
前記サンプルのウィンドウ内の全てのサンプルが、所望の出力電力を達成するために、前のサンプルよりも低い電圧レベルの組を使用することができる場合、前記ウィンドウ内の全てのサンプルを支持するために、前記前のサンプルのために使用されたものよりも低い新しい電圧レベルの組を選択することと、
前記ウィンドウ内の全てのサンプルが、前記所望の出力電力を達成するために、前記前のサンプルよりも低い電圧レベルの組を使用できない場合、
前記前のサンプルのために使用された前記電圧レベルの組が、現在のサンプルとの使用のために十分である場合、前記現在のサンプルのために前記前のサンプルのために使用された前記電圧レベルの組を使用することと、
前記前のサンプルのために使用された前記電圧レベルの組が、前記現在のサンプルとの使用のために十分ではない場合、前記現在のサンプルのための新しい電圧レベルの組を選択することと
を行うように構成されている、項目５に記載のＲＦ伝送機。
（項目２０）
前記結合器は、和ポートおよび差ポートを有する分離結合器であり、
前記コントローラは、前記結合器の前記差ポートにおける出力電力レベルを最小にするための前記第１の情報、前記第２の情報、前記第１の制御信号、および前記第２の制御信号を提供するように構成されている、項目５に記載のＲＦ伝送機。
（項目２１）
ＲＦ伝送機を動作させる機械実装方法であって、前記ＲＦ伝送機は、少なくとも２つの電力増幅器を駆動する少なくとも２つのデジタル／無線周波数（ＲＦ）変調器と、前記少なくとも２つの電力増幅器の出力信号を組み合わせる結合器とを有し、前記方法は、
前記ＲＦ伝送機から伝送されるべき伝送データを取得することと、
少なくとも部分的に、前記伝送データに基づいて、前記少なくとも２つのデジタル／ＲＦ変調器のための入力情報を生成することであって、前記入力情報は、前記少なくとも２つのデジタル／ＲＦ変調器のＲＦ出力信号の振幅および位相を制御し、入力情報を生成することは、前記少なくとも２つのデジタル／ＲＦ変調器に関連付けられている１つ以上の振幅を制御することにより、前記ＲＦ伝送機の出力電力レベルを設定することを含む、ことと、
前記少なくとも２つのデジタル／ＲＦ変調器の出力信号を対応する前記少なくとも２つの電力増幅器の入力に送達することと、
少なくとも部分的に、前記伝送データに基づいて、前記少なくとも２つの電力増幅器の各々のための供給電圧を選択することと、
前記少なくとも２つの電力増幅器の出力信号を組み合わせ、伝送機出力信号を生成することと
を含む、方法。
（項目２２）
前記少なくとも２つの電力増幅器の各々のための供給電圧を選択することは、前記少なくとも２つの電力増幅器のために、前記ＲＦ伝送機の所望の瞬間出力電力レベルを達成することが可能である最も低い供給レベルの組を選択することを含む、項目２１に記載の方法。
（項目２３）
前記少なくとも２つのデジタル／ＲＦ変調器のための入力情報を生成することは、前記少なくとも２つの電力増幅器の出力との間で実質的に固定された位相関係を提供する情報を生成することを含む、項目２１に記載の方法。
（項目２４）
前記少なくとも２つの電力増幅器の出力信号を組み合わせることは、前記少なくとも２つの電力増幅器の出力信号を、分離ポートを有する分離結合器に印加することを含み、
前記方法は、前記分離結合器の前記分離ポートからエネルギー出力を回収し、回収エネルギーを使用可能な形式に変換することをさらに含む、項目２１に記載の方法。
（項目２５）
前記少なくとも２つの電力増幅器の各々のための供給電圧を選択することは、少なくとも部分的に、前記伝送機によって伝送されるべきデータを表すサンプルのウィンドウに基づいて、前記供給電圧を選択することを含む、項目２１に記載の方法。
（項目２６）
前記少なくとも２つの電力増幅器の各々のための供給電圧を選択することは、
伝送されるべきサンプルのウィンドウを識別することと、
前記サンプルのウィンドウ内の全てのサンプルが、所望の出力電力を達成するために、前のサンプルよりも低い電圧レベルの組を使用することができる場合、前記ウィンドウ内の全てのサンプルを支持するために、前記前のサンプルのために使用されたものよりも低い新しい電圧レベルの組を選択することと、
前記ウィンドウ内の全てのサンプルが、前記所望の出力電力を達成するために、前記前のサンプルよりも低い電圧レベルの組を使用できない場合、
前記前のサンプルのために使用された前記電圧レベルの組が、現在のサンプルとの使用のために十分である場合、前記現在のサンプルのために前記前のサンプルのために使用された前記電圧レベルの組を使用することと、
前記前のサンプルのために使用された前記電圧レベルの組が、前記現在のサンプルとの使用のために十分ではない場合、前記現在のサンプルのための新しい電圧レベルの組を選択することと
を含む、項目２１に記載の方法。
（項目２７）
前記ウィンドウ内の全てのサンプルを支持するために、前記前のサンプルのために使用されたものよりも低い新しい電圧レベルの組を選択することは、依然として、全てのサンプルのための所望の瞬間出力電力を提供することが可能である一方、可能な限り低い新しい電圧レベルの組を選択することを含む、項目２６に記載の方法。
（項目２８）
前記現在のサンプルのための新しい電圧レベルの組を選択することは、前記現在のサンプルとの使用のために可能な限り低い新しい電圧レベルの組を選択することを含む、項目２６に記載の方法。
（項目２９）
命令を記憶しているコンピュータ読み取り可能な媒体を備えている装置であって、前記命令は、コンピュータによって実行されると、ＲＦ伝送機を動作させる方法を実施し、前記ＲＦ伝送機は、少なくとも２つの電力増幅器をフィードする少なくとも２つのデジタル／無線周波数（ＲＦ）変調器と、前記少なくとも２つの電力増幅器の出力信号を組み合わせる結合器とを有し、前記方法は、
前記ＲＦ伝送機から伝送されるべき伝送データを取得することと、
少なくとも部分的に、前記伝送データに基づいて、前記少なくとも２つのデジタル／ＲＦ変調器のための前記入力情報を提供することであって、前記入力情報は、前記少なくとも２つのデジタル／ＲＦ変調器のＲＦ出力信号の振幅および位相を制御し、入力情報を生成することは、前記少なくとも２つのデジタル／ＲＦ変調器に関連付けられている１つ以上の振幅を制御することにより、前記ＲＦ伝送機の出力電力レベルを設定することを含む、ことと、
少なくとも部分的に、前記伝送データに基づいて、前記少なくとも２つの電力増幅器の各々のための供給電圧を選択することと
を含む、装置。
（項目３０）
前記少なくとも２つの電力増幅器の各々のための供給電圧を選択することは、前記少なくとも２つの電力増幅器のために、前記ＲＦ伝送機の所望の瞬間出力電力レベルを達成することが可能である最も低い供給電圧の組を選択することを含む、項目２９に記載の装置。
（項目３１）
前記少なくとも２つの電力増幅器の各々のための供給電圧を選択することは、少なくとも部分的に、前記伝送機によって伝送されるべきデータを表すサンプルのウィンドウに基づいて、前記供給電圧を選択することを含む、項目２９に記載の装置。